(57)【要約】【課題】本発明は、ウェブ輪転印刷機、特に新聞印刷機の横方向断裁用見当合わせ制御をするための方法に関する。【解決手段】本発明の方法は、ａ）各リボンがリーディングローラ群の領域で形成される前に、横方向断裁の予想誤差が各ウェブ又は各部分ウェブのためのセンサによって取得され、ここで取得された各ウェブ又は各部分ウェブの横方向断裁の予想誤差に基づき、各ウェブ又は各部分ウェブの印刷に関与するプレート胴を回転させることによって、断裁用見当合わせの制御が行われるステップと、ｂ）ステップａ）とは別に、リボン集合体が折り装置上部の領域に形成される前に、横方向断裁の予想誤差が少なくとも幾つかのリボンについて取得され、ここで取得されたこれらリボンの横方向断裁の予想誤差に基づき、各リボンの縦折りを行うフォーマーに後置された見当合わせローラを動かすことによって、断裁用見当合わせ制御が行われるステップと、を備えている。【選択図】図１
2009040535.tif 000002
【特許請求の範囲】
【請求項１】
複数の被印刷物ウェブが印刷ユニット（１３）内で印刷され、複数の未断裁のウェブが印刷後に、又は印刷済ウェブを縦方向に断裁して得られた複数の部分ウェブが、リーディングローラ群（１６）の領域で複数のリボン状に重ねられていき、これらのリボンはリーディングローラ群（１６）に後置されたフォーマー（１７、１８）内で縦折りされ、これら縦折りされたリボンは折り装置上部（２０）の領域において一つのリボン集合体にまとめられ、該リボン集合体は折りカセット（２１）のカッター胴（２２）によって横方向に断裁され、印刷物が各部に分離されて、次にこれら各部の印刷物は折りカセット（２１）内で少なくとも横折りされるウェブ輪転印刷機、特に新聞印刷機の横方向断裁用見当合わせ制御をするための方法において、
ａ）各リボンがリーディングローラ群（１６）の領域で形成される前に、横方向断裁の予想誤差が各ウェブ又は各部分ウェブのためのセンサによって取得され、ここで取得された各ウェブ又は各部分ウェブの横方向断裁の予想誤差に基づいて、各ウェブ又は各部分ウェブの印刷に関与するプレート胴（２３）を回転させることによって、断裁用見当合わせの制御が行われるステップと、
ｂ）ステップａ）とは別に、リボン集合体が折り装置上部（２０）の領域で形成される前に、少なくとも幾つかのリボンについて横方向断裁の予想誤差が取得され、ここで取得されたこれらリボンの横方向断裁の予想誤差に基づいて、各リボンの縦折りを行うフォーマー（１８）に後置された見当合わせローラ（２４）を動かすことによって、断裁用見当合わせ制御が行われるステップと、
を少なくとも備えていることを特徴とする方法。
【請求項２】
ステップｂ）において、前記横方向断裁の予想誤差が、メインフォーマー（１７）の上に配置されたバルーンフォーマー（１８）及び場合によってはトリップフォーマー内において縦折りされるリボンのみについて求められることを特徴とする請求項１に記載の方法。
【請求項３】
ステップａ)及びｂ）とは別に、リボン集合体について横方向断裁の予想誤差が、折りカセット（２１）のカッター胴（２２）の領域で取得され、ここで取得されたリボン集合体の横方向断裁の予想誤差に基づいて、リボン集合体を構成する複数のリボンが案内される見当合わせローラ（２４）を動かすことによって、断裁用見当合わせ制御が行われることを特徴とする請求項１又は請求項２に記載の方法。
【発明の詳細な説明】
【技術分野】
【０００１】
本発明は、ウェブ輪転印刷機、特に新聞印刷機における横方向断裁用見当合わせ制御方法に関する。
【背景技術】
【０００２】
ウェブ輪転印刷機、例えば特に新聞印刷機では、複数の被印刷物ウェブの印刷が印刷タワーを構成する印刷ユニット内で行われる。被印刷物ウェブに印刷が行われる場合には、該被印刷物ウェブは、一般に縦方向断裁によって複数の部分ウェブに分割され、このとき、いわゆるリーディングローラ群の領域では、縦方向断裁によって作られた印刷済みウェブの部分ウェブが複数のリボン状に重ねられていく。印刷済みの未断裁の複数のウェブを、リーディングローラ群の領域で複数のリボン状に重ねることも可能であることは言うまでもない。これらのリボンは、リーディングローラ群に後置されているフォーマーの領域で縦折りされ、これら縦折りされたリボンは折り装置の上部領域において一つのリボン集合体にまとめられる。このリボン集合体は、前記折り装置上部に後置された折りカセットの領域において、カッター胴の領域内で横方向に断裁されて印刷物が各部ごとに分離され、このときリボン集合体の横方向断裁によって各部に分離された印刷物は次に折りカセット内で横方向に折られたものである。
【０００３】
上述のように、折りカセットのカッター胴の領域では、印刷物が横方向断裁によってリボン集合体から各部に分離されるが、このとき、横方向断裁によって作られた印刷物各部の縁部が印刷画像から所定の距離を保っていることが重要である。横方向断裁によって生成された、印刷物各部の縁部と同印刷物各部の印刷画像との間の該所定距離は、断裁用見当と呼称される。
【０００４】
特許文献１には、ウェブ輪転印刷機における断裁用見当合わせ制御方法が開示されている。該制御方法においては、各ウェブの断裁位置のための各取得値は、これら各ウェブが一つのリボンにまとめられる前にウェブリボンセンサーによって取得され、また、リボンにおけるウェブの断裁位置のための測定値が一つのまとめリボンセンサーによってさらに取得される。これらの測定値は一つの共通の制御装置で評価され、ウェブの断裁位置が決定及び制御される。このような複雑な方法で断裁用見当合わせ制御をするので、高コストとなる。
【特許文献１】欧州特許第１０７４５０１号明細書
【発明の開示】
【発明が解決しようとする課題】
【０００５】
従って、本発明の課題は、ウェブ輪転印刷機における断裁用見当合わせ制御のための新しい方法を提供することである。
【課題を解決するための手段】
【０００６】
この課題は、請求項１に記載された、ウェブ輪転印刷機における断裁用見当合わせ制御方法により解決できる。
【０００７】
本発明の方法には少なくとも以下のステップが含まれる。
ａ）各リボンがリーディングローラ群の領域で形成される前に、横方向断裁の予想誤差が各ウェブ又は各部分ウェブのためのセンサによって取得され、ここで取得された各ウェブ又は各部分ウェブの横方向断裁の予想誤差に基づいて、各ウェブ又は各部分ウェブの印刷に関与するプレート胴を回転させることによって、断裁用見当合わせ制御をするステップ。
ｂ）各ウェブ又は各部分ウェブのための前記横方向断裁制御とは別に、リボン集合体が折り装置上部の領域で形成される前に、横方向断裁の予想誤差が少なくとも幾つかのリボンのために取得され、ここで取得されたこれらリボンの横方向断裁の予想誤差に基づいて、それぞれのリボンの縦折りを行うフォーマーに後置された見当合わせローラを動かすことによって、断裁用見当合わせ制御をするステップ。
【０００８】
本発明は、リボンの横方向断裁の予想誤差とは関係なく、各ウェブ又は各部分ウェブのための横方向断裁の予想誤差を修正することによって、ウェブ輪転印刷機における断裁用見当合わせ制御をする方法を提案する。これによって、ウェブ輪転印刷機における横方向断裁誤差の制御を行うための、より簡単な制御構造が実現可能である。
【０００９】
前記横方向断裁の予想誤差は、メインフォーマー上に配置されたバルーンフォーマー及び場合によってはトリップフォーマーによって縦折りされるリボンのみが取得されることが望ましい。
【００１０】
本発明の好適な発展形態によると、リボン集合体用の一つの横方向断裁の予想誤差が、各ウェブ又は各部分ウェブのための断裁用見当合わせ制御や折りカセットのカッター胴の領域における少なくとも幾つかのリボンのための断裁用見当合わせ制御とは別に取得され、ここで取得されたリボン集合体用の横方向断裁の予想誤差に基づいて、リボン集合体のリボンが案内される見当合わせローラを動かすことによって、断裁用見当合わせが制御される。
【発明を実施するための最良の形態】
【００１１】
本発明の好適な発展形態は従属請求項及び以下の説明から理解できる。以下に図面を用いて本発明の実施形態を詳しく説明するが、これに限定される訳ではない。
【００１２】
図１及び図２は、新聞印刷機として構成されたウェブ輪転印刷機の断面を表わしている。図１には、３つの印刷タワー１０、１１、１２が図示されている。それぞれの印刷タワーは、９胴サテライト印刷ユニットとして構成された印刷ユニット１３から構成されている。
【００１３】
ローラ交換装置１４を介して印刷タワー１０、１１、１２に供給される被印刷物ウェブが、印刷タワー１０、１１、１２の印刷ユニット１３内で印刷される。このとき、印刷タワー１０、１１、１２の印刷装置１３内で印刷された被印刷物ウェブは、印刷後、望ましくはターニングバーユニット１５内で縦方向に断裁されて部分ウェブに分割される。
【００１４】
図示された実施形態では、印刷済みウェブが部分ウェブに分割された後に、これら部分ウェブはいわゆるリーディングローラ群１６に供給され、このとき、該部分ウェブはリーディングローラ群１６の領域で複数のリボン状に重ねられていく。図示された実施形態では、２つのリーディングローラ群１６が上下に配置され、各部分ウェブはこれら２つのリーディングローラ群１６のうち一つのリーディングローラ群に供給される。
【００１５】
図示された実施形態では、３つのフォーマー１７又は１８が２つのリーディングローラ群１６それぞれに後置され、リーディングローラ群１６の領域に形成されたリボンはフォーマー１７又は１８内で縦折りされる。一番下のフォーマー１７はメインフォーマーと呼称され、フォーマー１７の上に配置されたフォーマー１８はバルーンフォーマーと呼称される。バルーンフォーマー１８の上に位置し、且つ該バルーンフォーマーに割り当てられたリーディングローラ群１６に、一つのリーディングローラ群及びこのリーディングローラ群に後置されたフォーマーから成るさらなる一つのユニットを配置することができ、この場合には、該フォーマーもトリップフォーマーと呼称される。
【００１６】
このメインフォーマー１７の領域内で縦折りされたリボンを互いにまとめるためのバインダー１９が、メインフォーマー１７に後置されている。
【００１７】
メインフォーマー１７の下方においては、縦折りされたリボンが折り装置上部２０の領域で一つのリボン集合体にまとめられ、このとき、折り装置上部２０内に形成された該リボン集合体は折りカセット２１に供給される。該リボン集合体が折りカセット２１のカッター胴２２の領域で横方向に断裁され、印刷物が各部に分離されて、次にこれら各部に分離された印刷物は折りカセット２１内で横折りされる。
【００１８】
本発明は、ウェブ輪転印刷機における横方向断裁用見当合わせ制御方法に関する。本発明は、該断裁用見当合わせによってカッター胴２２の領域でリボン集合体を横方向に断裁することによって作られ、且つ各部ごとに分離された印刷物の縁部と該印刷物各部の印刷画像との距離を決定することができる。
【００１９】
本発明の方法は、断裁用見当合わせ制御をするために、第１のステップにおいて、各リボンがリーディングローラ群１６の領域内で形成される前に、各部分ウェブのための図示されていないセンサを用いて横方向断裁の予想誤差を取得することを提案している。これにより、本発明の断裁用見当合わせ制御は、前記取得された部分ウェブのための横方向断裁の予想誤差に基づいて、各部分ウェブの印刷に関与する印刷装置１３のプレート胴２３を回転させることによって行われる。リーディングローラ群１６の領域内で各部分ウェブについて個別に求められた横方向断裁の予想誤差の取得値は、本発明では対応する各プレート胴２３を回転させるためにのみ用いられる。
【００２０】
本発明では、折り装置上部２０の領域において、リボン集合体がリーディングローラ群１６の領域で形成された少なくとも幾つかのリボンから形成される前に、横方向断裁の予想誤差が、部分ウェブのための上記の横方向断裁用見当合わせ制御とは別に取得される。
【００２１】
断裁用見当合わせ制御は、前記取得されたリボンのための横方向断裁の予想誤差に基づいて、各リボンを縦折りするフォーマーに後置された見当合わせローラ２４を調整することによって行われる。リボン集合体が折り装置上部２０の領域内で形成される前に取得された、リボンのための横方向断裁の予想誤差のそれぞれは、見当合わせローラ２４を調整するためにのみ用いられる。
【００２２】
図示された実施形態では、見当合わせローラ２４がバルーンフォーマー１８のみに後置されているが、これはメインフォーマー１７と折り装置上部２０との間が狭いためである。このようにメインフォーマー１７と折り装置上部２０との間が狭いため、メインフォーマー１７内で縦折りされたリボンが折り装置上部２０に搬送された場合に、断裁用見当合わせについてずれがほとんど発生しないためである。トリップフォーマーが設けられている場合には、これらトリップフォーマーのそれぞれに見当合わせローラが後置される。
【００２３】
図１及び図２の各実施形態では、横方向断裁の予想誤差は、メインフォーマー１７に配置されたバルーンフォーマー１８及び場合によっては該バルーンフォーマーの上に配置されたトリップフォーマー内で縦折りされるリボンについてのみ取得される。
【００２４】
本発明における断裁用見当合わせ制御は、それぞれ独立して機能する２つの制御回路に基づくものである。第１の制御回路は、リーディングローラ群１６の領域で取得された各部分ウェブのための横方向断裁の予想誤差に基づいて、印刷装置１３のプレート胴２３を制御する。一方、第２の制御回路は、第１の制御回路とは別に、折り装置上部２０の領域でのリボンの横方向断裁の予想誤差に基づいて見当合わせローラ２４を制御する。
【００２５】
本発明の好適な発展形態では、第３の制御回路を設けることができる。第３の制御回路は、前記２つの制御回路とは別に機能し、折りカセット２１のカッター胴２２の領域でリボン集合体のための横方向断裁の予想誤差を取得する。第３の制御回路が、前記取得されたリボン集合体のための横方向断裁の予想誤差に基づいて、リボン集合体のリボンが案内される見当合わせローラ２４を制御することが望ましい。
【００２６】
見当合わせローラがメインフォーマー１７に後置されること、及び前記見当合わせローラは、折り装置上部２０の領域のリボン又はカッター胴２２の領域のリボン集合体のために取得された横方向断裁の予想誤差に基づいて制御可能であることに留意すべきである。
【図面の簡単な説明】
【００２７】
【図１】本発明の方法を明確にするための、ウェブ輪転印刷機の正面図である。
【図２】本発明の方法をさらに明確にするための、図１の側面図である。
【符号の説明】
【００２８】
１０  印刷タワー
１１  印刷タワー
１２  印刷タワー
１３  印刷ユニット
１４  ロール紙交換装置
１５  ターニングバーユニット
１６  リーディングローラ群
１７  フォーマー
１８  フォーマー
１９  バインダー
２０  折り装置上部
２１  折りカセット
２２  カッター胴
２３  プレート胴
２４  見当合わせローラ
【図１】
2009040535.tif 000003
【図２】
2009040535.tif 000004